(57)【要約】【課題】  床板および天井板との止着強度を保持しつつ、解体時に木製の部材と石膏製の部材とを容易に分離することができる間仕切壁を提供する。【解決手段】    間仕切壁Ｍは、第１のボード１の左上角部Ａは上部水平部材４の表の左上角部Ａに、第１のボード１の右上角部Ｄは上部水平部材４の表の右上角部に、第２のボード２の左上角部ａは上部水平部材４の裏の左上角部に、第２のボード２の右上角部ｄは上部水平部材４の裏の右上角部に、第１のボード１の左下角部Ｂは下部水平部材５の表の左下角部に、第１のボード１の右下角部Ｄは下部水平部材５の表の右下角部に、第２のボード２の左下角部ｂは下部水平部材５の裏の左下角部に、第２のボード２の右下角部ｃは下部水平部材５の裏の右下角部に、それぞれ一致し、しかも、第１のボード１と第２のボード２とが、上部水平部材４、複数の縦桟３、３、３及び下部水平部材５を介して接合されているものである。【選択図】図３
2016079636.tif 000002
【特許請求の範囲】
【請求項１】
正面視、左辺、下辺、右辺、上辺からなる矩形状の第１のボードと、
この第１のボードと同一形状であって該第１のボードと外周縁が一致し、かつ、平行に配置された正面視、左辺、下辺、右辺、上辺からなる矩形状の第２のボードと、
前記第１および第２のボードとの間に所定間隔を隔てて設けられ、この第１および第２のボードを接続する複数の縦桟と、
前記第１および第２のボードの間であって前記複数の縦桟の下端にそれぞれ接触して設けられ、前記第１および第２のボードを接続する下部水平部材とを備え、
前記複数の縦桟の内、隣接する縦桟は、隣接間隔を有して形成され、
前記複数の縦桟の内、一番端の縦桟を前記第１および第２のボードの側端部から突出させて凸部を形成し、
この凸部は、前記下部水平部材の側端部から突出し、
前記複数の縦桟の内、前記凸部と反対側に位置する縦桟を前記第１および第２のボードの側端部から奥まらせて凹部を形成し、
前記複数の縦桟の上端部を前記第１および第２のボードの上辺から突出しないように前記第１および第２のボードの上辺に一致させ、
前記下部水平部材の下端水平部を前記第１および第２のボードの下辺から突出しないように前記第１および第２のボードの下辺に一致させ、
正面視、前記下部水平部材の左側垂直部を前記第１および第２のボードの左辺から突出しないように前記第１および第２のボードの左辺に一致させ、
正面視、前記下部水平部材の右側垂直部を前記第１および第２のボードの右辺から突出しないように前記第１および第２のボードの右辺に一致させ、
前記第１および第２のボードの四隅は、正面視、左上角部、左下角部、右上角部、右下角部であり、
前記第１のボードの前記左上角部は前記一番端の縦桟の表面に当接し、
前記第２のボードの前記左上角部は前記一番端の縦桟の裏面に当接し、
前記第１のボードの前記左下角部は前記下部水平部材の表の左下角部に、前記第１のボードの前記右下角部は前記下部水平部材の表の右下角部に、
前記第２のボードの前記左下角部は前記下部水平部材の裏の左下角部に、前記第２のボードの前記右下角部は前記下部水平部材の裏の右下角部に、
それぞれ一致し、
前記第１のボードと前記第２のボードとが、前記複数の縦桟及び前記下部水平部材を介して接合されている
ことを特徴とする間仕切壁。
【請求項２】
正面視、左辺、下辺、右辺、上辺からなる矩形状の第１のボードと、
この第１のボードと同一形状であって該第１のボードと外周縁が一致し、かつ、平行に配置された正面視、左辺、下辺、右辺、上辺からなる矩形状の第２のボードと、
前記第１および第２のボードとの間に所定間隔を隔てて設けられ、この第１および第２のボードを接続する複数の縦桟と、
前記第１および第２のボードの間であって前記複数の縦桟の上端にそれぞれ接触して設けられ、前記第１および第２のボードを接続する上部水平部材と、
前記第１および第２のボードの間であって前記複数の縦桟の下端にそれぞれ接触して設けられ、前記第１および第２のボードを接続する下部水平部材とを備え、
前記複数の縦桟の内、隣接する縦桟は、隣接間隔を有して形成され、
前記複数の縦桟の内、一番端の縦桟を前記第１および第２のボードの側端部から突出させて凸部を形成し、
この凸部は、前記上部水平部材の側端部から突出し、
前記凸部は、前記下部水平部材の側端部から突出し、
前記複数の縦桟の内、前記凸部と反対側に位置する縦桟を前記第１および第２のボードの側端部から奥まらせて凹部を形成し、
前記上部水平部材の上端水平部を前記第１および第２のボードの上辺から突出しないように前記第１および第２のボードの上辺に一致させ、
前記下部水平部材の下端水平部を前記第１および第２のボードの下辺から突出しないように前記第１および第２のボードの下辺に一致させ、
正面視、前記上部水平部材の左側垂直部を前記第１および第２のボードの左辺から突出しないように前記第１および第２のボードの左辺に一致させ、
正面視、前記上部水平部材の右側垂直部を前記第１および第２のボードの右辺から突出しないように前記第１および第２のボードの右辺に一致させ、
正面視、前記下部水平部材の左側垂直部を前記第１および第２のボードの左辺から突出しないように前記第１および第２のボードの左辺に一致させ、
正面視、前記下部水平部材の右側垂直部を前記第１および第２のボードの右辺から突出しないように前記第１および第２のボードの右辺に一致させ、
前記第１および第２のボードの四隅は、正面視、左上角部、左下角部、右上角部、右下角部であり、
前記第１のボードの前記左上角部は前記上部水平部材の表の左上角部に、前記第１のボードの前記右上角部は前記上部水平部材の表の右上角部に、
前記第２のボードの前記左上角部は前記上部水平部材の裏の左上角部に、前記第２のボードの前記右上角部は前記上部水平部材の裏の右上角部に、
前記第１のボードの前記左下角部は前記下部水平部材の表の左下角部に、前記第１のボードの前記右下角部は前記下部水平部材の表の右下角部に、
前記第２のボードの前記左下角部は前記下部水平部材の裏の左下角部に、前記第２のボードの前記右下角部は前記下部水平部材の裏の右下角部に、
それぞれ一致し、
前記第１のボードと前記第２のボードとが、前記上部水平部材、前記複数の縦桟及び前記下部水平部材を介して接合されている
ことを特徴とする間仕切壁。
【発明の詳細な説明】
【技術分野】
【０００１】
本発明は、間仕切壁に係り、特に、隅部の欠損を防ぐようにした間仕切壁に関する。
【背景技術】
【０００２】
本件発明者は、先に、室内空間を間仕切る間仕切壁を提案した（特許文献１）。
この間仕切壁は、第１のボード（１１）と第２のボード（１２）とが、複数の縦桟（３）を介して接合されている。
【先行技術文献】
【特許文献】
【０００３】
【特許文献１】特許第５６１３４５５号公報
【発明の概要】
【発明が解決しようとする課題】
【０００４】
しかしながら、上述特許文献１の図１記載の上下の嵌合部材（５１）（５１）は、搬送中、容易に離脱するため、施工現場において、嵌合されるものであり、上下の嵌合部材（５１）（５１）は嵌合されない状態で搬送される（特許文献１の図１参照）。
そのため、搬送途中にあっては、矩形状の第１のボード及び第２のボードの四隅部の内、二隅部が保護され、他の二隅部が離間し支えがない分、第１のボード及び第２のボードが変形し易いという問題点があった。
【０００５】
本発明は、上述した問題点を解決するためになされたものである。
【課題を解決するための手段】
【０００６】
請求項１記載の間仕切壁は、正面視、左辺、下辺、右辺、上辺からなる矩形状の第１のボードと、この第１のボードと同一形状であって該第１のボードと外周縁が一致し、かつ、平行に配置された正面視、左辺、下辺、右辺、上辺からなる矩形状の第２のボードと、前記第１および第２のボードとの間に所定間隔を隔てて設けられ、この第１および第２のボードを接続する複数の縦桟と、前記第１および第２のボードの間であって前記複数の縦桟の下端にそれぞれ接触して設けられ、前記第１および第２のボードを接続する下部水平部材とを備え、前記複数の縦桟の内、隣接する縦桟は、隣接間隔を有して形成され、前記複数の縦桟の内、一番端の縦桟を前記第１および第２のボードの側端部から突出させて凸部を形成し、この凸部は、前記下部水平部材の側端部から突出し、前記複数の縦桟の内、前記凸部と反対側に位置する縦桟を前記第１および第２のボードの側端部から奥まらせて凹部を形成し、前記複数の縦桟の上端部を前記第１および第２のボードの上辺から突出しないように前記第１および第２のボードの上辺に一致させ、前記下部水平部材の下端水平部を前記第１および第２のボードの下辺から突出しないように前記第１および第２のボードの下辺に一致させ、正面視、前記下部水平部材の左側垂直部を前記第１および第２のボードの左辺から突出しないように前記第１および第２のボードの左辺に一致させ、正面視、前記下部水平部材の右側垂直部を前記第１および第２のボードの右辺から突出しないように前記第１および第２のボードの右辺に一致させ、前記第１および第２のボードの四隅は、正面視、左上角部、左下角部、右上角部、右下角部であり、前記第１のボードの前記左上角部は前記一番端の縦桟の表面に当接し、前記第２のボードの前記左上角部は前記一番端の縦桟の裏面に当接し、前記第１のボードの前記左下角部は前記下部水平部材の表の左下角部に、前記第１のボードの前記右下角部は前記下部水平部材の表の右下角部に、前記第２のボードの前記左下角部は前記下部水平部材の裏の左下角部に、前記第２のボードの前記右下角部は前記下部水平部材の裏の右下角部に、それぞれ一致し、前記第１のボードと前記第２のボードとが、前記複数の縦桟及び前記下部水平部材を介して接合されているものである。
【０００７】
また、請求項２記載の間仕切壁は、正面視、左辺、下辺、右辺、上辺からなる矩形状の第１のボードと、この第１のボードと同一形状であって該第１のボードと外周縁が一致し、かつ、平行に配置された正面視、左辺、下辺、右辺、上辺からなる矩形状の第２のボードと、前記第１および第２のボードとの間に所定間隔を隔てて設けられ、この第１および第２のボードを接続する複数の縦桟と、前記第１および第２のボードの間であって前記複数の縦桟の上端にそれぞれ接触して設けられ、前記第１および第２のボードを接続する上部水平部材と、前記第１および第２のボードの間であって前記複数の縦桟の下端にそれぞれ接触して設けられ、前記第１および第２のボードを接続する下部水平部材とを備え、前記複数の縦桟の内、隣接する縦桟は、隣接間隔を有して形成され、前記複数の縦桟の内、一番端の縦桟を前記第１および第２のボードの側端部から突出させて凸部を形成し、 この凸部は、前記上部水平部材の側端部から突出し、前記凸部は、前記下部水平部材の側端部から突出し、前記複数の縦桟の内、前記凸部と反対側に位置する縦桟を前記第１および第２のボードの側端部から奥まらせて凹部を形成し、前記上部水平部材の上端水平部を前記第１および第２のボードの上辺から突出しないように前記第１および第２のボードの上辺に一致させ、前記下部水平部材の下端水平部を前記第１および第２のボードの下辺から突出しないように前記第１および第２のボードの下辺に一致させ、正面視、前記上部水平部材の左側垂直部を前記第１および第２のボードの左辺から突出しないように前記第１および第２のボードの左辺に一致させ、正面視、前記上部水平部材の右側垂直部を前記第１および第２のボードの右辺から突出しないように前記第１および第２のボードの右辺に一致させ、正面視、前記下部水平部材の左側垂直部を前記第１および第２のボードの左辺から突出しないように前記第１および第２のボードの左辺に一致させ、正面視、前記下部水平部材の右側垂直部を前記第１および第２のボードの右辺から突出しないように前記第１および第２のボードの右辺に一致させ、前記第１および第２のボードの四隅は、正面視、左上角部、左下角部、右上角部、右下角部であり、前記第１のボードの前記左上角部は前記上部水平部材の表の左上角部に、前記第１のボードの前記右上角部は前記上部水平部材の表の右上角部に、前記第２のボードの前記左上角部は前記上部水平部材の裏の左上角部に、前記第２のボードの前記右上角部は前記上部水平部材の裏の右上角部に、前記第１のボードの前記左下角部は前記下部水平部材の表の左下角部に、前記第１のボードの前記右下角部は前記下部水平部材の表の右下角部に、前記第２のボードの前記左下角部は前記下部水平部材の裏の左下角部に、前記第２のボードの前記右下角部は前記下部水平部材の裏の右下角部に、それぞれ一致し、前記第１のボードと前記第２のボードとが、前記上部水平部材、前記複数の縦桟及び前記下部水平部材を介して接合されているものである。
【発明の効果】
【０００８】
請求項１記載の間仕切壁によれば、第１のボードの左上角部は一番端の縦桟の表面に当接し、第２のボードの左上角部は一番端の縦桟の裏面に当接し、
第１のボードの左下角部は下部水平部材の表の左下角部に、第１のボードの右下角部は下部水平部材の表の右下角部に、第２のボードの左下角部は下部水平部材の裏の左下角部に、第２のボードの右下角部は下部水平部材の裏の右下角部に、それぞれ一致し、
第１のボードと第２のボードとが、複数の縦桟及び下部水平部材を介して接合されているため、
搬送途中において、矩形状の第１のボード及び第２のボードの四隅部の内、三隅部が支持され、従来に比べ第１のボード及び第２のボードの変形を防ぐことができる。
【０００９】
また、請求項２記載の間仕切壁によれば、第１のボードの左上角部は上部水平部材の表の左上角部に、第１のボードの右上角部は上部水平部材の表の右上角部に、第２のボードの左上角部は上部水平部材の裏の左上角部に、第２のボードの右上角部は上部水平部材の裏の右上角部に、第１のボードの左下角部は下部水平部材の表の左下角部に、第１のボードの右下角部は下部水平部材の表の右下角部に、第２のボードの左下角部は下部水平部材の裏の左下角部に、第２のボードの右下角部は下部水平部材の裏の右下角部に、それぞれ一致し、しかも、第１のボードと第２のボードとが、上部水平部材、複数の縦桟及び下部水平部材を介して接合されているため、搬送途中において、矩形状の第１のボード及び第２のボードの四隅部が支持され、第１のボード及び第２のボードの変形を防ぐことができる。
【図面の簡単な説明】
【００１０】
【図１】図１（ａ）は、本発明の一実施例の間仕切壁を示した概略的正面図であり、図１（ｂ）は、図１（ａ）の概略的左側面図であり、図１（ｃ）は、図１（ａ）の概略的平面図である。
【図２】図２は、図１の間仕切壁を施工する際に、嵌合部材を用いる例を示した概略的正面図である。
【図３】図３は、図１の間仕切壁と異なる他の実施例の間仕切壁の概略的斜視図である。
【図４】図４（ａ）は、図３の間仕切壁の概略的正面図であり、図４（ｂ）は、図４（ａ）の概略的左側面図であり、図４（ｃ）は、図４（ａ）の概略的平面図である。
【図５】図５は、図１又は図３の間仕切壁を床と天井に固定した場合の概略的断面図である。
【図６】図６（ａ）〜（ｄ）は、図５の間仕切壁を接続する過程を示した概略的平断面図である。
【図７】図７は、図５と異なる施工方法を示す概略的断面図である。
【図８】図８（ａ）〜（ｆ）は、図７の間仕切壁を接続する過程を示した概略的平断面図である。
【発明を実施するための形態】
【００１１】
本発明の一実施例の間仕切壁を図面（図１及び図２）を参照して説明する。
図１に示すＭは室内空間を間仕切る間仕切壁で、間仕切壁Ｍは、正面視、左辺ＡＢ、下辺ＢＣ、右辺ＣＤ、上辺ＤＡからなる矩形状の第１のボード［第１のボード、例えば、厚みが２．５mm〜１２．５mmのフレキシブルボード (繊維強化セメント板)、合板、ケイカル板(珪酸カルシウム板) 、石膏製の部材等である。］１と、この第１のボード１と同一形状であって該第１のボード１と外周縁が一致し、かつ、平行に配置された正面視、左辺ａｂ、下辺ｂｃ、右辺ｃｄ、上辺ｄａからなる矩形状の第２のボード［第２のボード、例えば、厚みが２．５mm〜１２．５mmのフレキシブルボード (繊維強化セメント板)、合板、ケイカル板(珪酸カルシウム板) 、石膏製の部材等である。］２とを有する。
【００１２】
図１（ａ）に示す３は縦桟で、縦桟（縦桟は、例えば、木、ＬＶＬ等である。）３は複数設けられ、複数の縦桟３は、第１および第２のボード１、２との間に所定間隔を隔てて設けられ、第１および第２のボード１、２を、例えば、接着剤、釘、ビス等で接続している。
【００１３】
図１（ａ）に示す５は下部水平部材（下部水平部材は、例えば、木、ＬＶＬ等である。）で、下部水平部材５は、直方体形状で、第１および第２のボード１、２の間であって、複数の縦桟３、３、３の下端にそれぞれ接触して設けられ、第１および第２のボード１、２を、例えば、接着剤、釘、ビス等で接続している。
そして、複数の縦桟３、３、３の内、隣接する縦桟は、隣接間隔（例えば、間隔ｔ）を有して形成され、複数の縦桟３、３、３の内、一番端の縦桟３１を第１および第２のボード１、２の側端部から突出させて凸部Ｔを形成している。
この凸部Ｔは、図１（ａ）に示すように、下部水平部材５の側端部から突出し、複数の縦桟３、３、３の内、凸部Ｔと反対側に位置する縦桟３２を第１および第２のボード１、２の側端部から奥まらせて凹部を形成している。
【００１４】
そして、図１（ａ）に示すように、複数の縦桟３、３、３の上端部３Ａ、３Ａ、３Ａを第１および第２のボード１、２の上辺ＤＡ、ｄａから突出しないように第１および第２のボード１、２の上辺ＤＡ、ｄａに一致させている。
また、下部水平部材５の下端水平部を第１および第２のボード１、２の下辺ＢＣ、ｂｃから突出しないように第１および第２のボード１、２の下辺ＢＣ、ｂｃに一致させさせている。
また、図１（ａ）に示すように、正面視、下部水平部材５の左側垂直部を第１および第２のボード１、２の左辺ＡＢ、ａｂから突出しないように第１および第２のボード１、２の左辺ＡＢ、ａｂに一致させている。
また、図１（ａ）に示すように、正面視、下部水平部材５の右側垂直部を第１および第２のボード１、２の右辺ＣＤ、ｃｄから突出しないように第１および第２のボード１、２の右辺ＣＤ、ｃｄに一致させている。
【００１５】
また、図１（ａ）に示すように、第１および第２のボード１、２の四隅は、正面視、左上角部Ａ、ａ、左下角部Ｂ、ｂ、右上角部Ｄ、ｄ、右下角部Ｃ、ｃである。そして、  第１のボード１の左上角部Ａは一番端の縦桟３１の表面に、第２のボード２の左上角部ａは一番端の縦桟３１の裏面に、それぞれ当接している。
また、第１のボード１の左下角部Ｂは下部水平部材５の表の左下角部に、第１のボード１の右下角部Ｃは下部水平部材５の表の右下角部に、第２のボード２の左下角部ｂは下部水平部材５の裏の左下角部に、第２のボード２の右下角部ｃは下部水平部材５の裏の右下角部に、それぞれ一致している。
そして、第１のボード１と第２のボード２とが、複数の縦桟３、３、３及び下部水平部材５を介して、例えば、接着剤、釘、ビス等で、接合されている。
【００１６】
従って、上述した間仕切壁Ｍによれば、第１のボード１の左上角部Ａは一番端の縦桟３１の表面に当接し、第２のボード２の左上角部ａは一番端の縦桟３１の裏面に当接し、第１のボード１の左下角部Ｂは下部水平部材５の表の左下角部に、第１のボード１の右下角部Ｃは下部水平部材５の表の右下角部に、第２のボード２の左下角部ｂは下部水平部材５の裏の左下角部に、第２のボード２の右下角部ｃは下部水平部材５の裏の右下角部に、それぞれ一致し、第１のボード１と第２のボード２とが、複数の縦桟３、３、３及び下部水平部材５を介して、例えば、接着剤等で、接合されているため、搬送途中において、矩形状の第１のボード１及び第２のボード２の四隅部Ａ、Ｂ、Ｃ、Ｄ、ａ、ｂ、ｃ、ｄの内、三隅部Ａ、Ｂ、Ｃ、ａ、ｂ、ｃが支持され、従来に比べ第１のボード１及び第２のボード２の変形を防ぐことができる。
特に、第１のボード１及び第２のボード２がケイカル板(珪酸カルシウム板) 、石膏製の部材等で形成されている場合、第１のボード１及び第２のボード２の四隅部Ａ、Ｂ、Ｃ、Ｄ、ａ、ｂ、ｃ、ｄの内、三隅部Ａ、Ｂ、Ｃ、ａ、ｂ、ｃが保護され、三隅部Ａ、Ｂ、Ｃ、ａ、ｂ、ｃの欠損を防ぐことができる。
なお、間仕切壁Ｍが施工現場においては、間仕切壁Ｍの上端開口部には、図２に示す嵌合部材６が嵌合される。
【００１７】
上述した実施例においては、第１のボード１及び第２のボード２の四隅部Ａ、Ｂ、Ｃ、Ｄ、ａ、ｂ、ｃ、ｄの内、三隅部Ａ、Ｂ、Ｃ、ａ、ｂ、ｃが支持されたが、次に示す実施例においては、第１のボード１及び第２のボード２の四隅部Ａ、Ｂ、Ｃ、Ｄ、ａ、ｂ、ｃ、ｄが支持されるものである。
【００１８】
即ち、図３及び図４に示すように、間仕切壁Ｍは、正面視、左辺ＡＢ、下辺ＢＣ、右辺ＣＤ、上辺ＤＡからなる矩形状の第１のボード［第１のボード、例えば、厚みが２．５mm〜１２．５mmのフレキシブルボード (繊維強化セメント板)、合板、ケイカル板(珪酸カルシウム板) 、石膏製の部材等である。］１と、この第１のボード１と同一形状であって該第１のボード１と外周縁が一致し、かつ、平行に配置された正面視、左辺ａｂ、下辺ｂｃ、右辺ｃｄ、上辺ｄａからなる矩形状の第２のボード［第２のボード、例えば、厚みが２．５mm〜１２．５mmのフレキシブルボード (繊維強化セメント板)、合板、ケイカル板(珪酸カルシウム板) 、石膏製の部材等である。］２とを有する。
【００１９】
図３及び図４（ａ）に示す３は縦桟で、縦桟（縦桟は、例えば、木、ＬＶＬ等である。）３は複数設けられ、複数の縦桟３は、第１および第２のボード１、２との間に所定間隔を隔てて設けられ、第１および第２のボード１、２を、例えば、接着剤、釘、ビス等で接続している。
【００２０】
また、図３及び図４（ａ）に示す４は上部水平部材で、上部水平部材（上部水平部材は、例えば、木、ＬＶＬ等である。）４は、直方体形状で、第１および第２のボード１、２の間であって、複数の縦桟３、３、３の上端にそれぞれ接触して設けられ、第１および第２のボード１、２を、例えば、接着剤、釘、ビス等で接続している。
また、図３及び図４（ａ）に示す５は下部水平部材で、下部水平部材（下部水平部材は、例えば、木、ＬＶＬ等である。）５は，第１および第２のボード１、２の間であって、複数の縦桟３、３、３の下端にそれぞれ接触して設けられ、第１および第２のボード１、２を、例えば、接着剤、釘、ビス等で接続している。
そして、複数の縦桟３、３、３の内、隣接する縦桟は、隣接間隔（例えば、間隔ｔ）を有して形成され、複数の縦桟３、３、３の内、一番端の縦桟３１を第１および第２のボード１、２の側端部から突出させて凸部Ｔを形成している。
この凸部Ｔは、図４（ａ）に示すように、上部水平部材４の側端部から突出し、下部水平部材５の側端部から突出し、複数の縦桟３、３、３の内、凸部Ｔと反対側に位置する縦桟３２を第１および第２のボード１、２の側端部から奥まらせて凹部を形成している。
【００２１】
そして、図４（ａ）に示すように、上部水平部材４の上端水平部は、第１および第２のボード１、２の上辺ＤＡ、ｄａから突出しないように第１および第２のボード１、２の上辺ＤＡ、ｄａに一致させている。
また、下部水平部材５の下端水平部を第１および第２のボード１、２の下辺ＢＣ、ｂｃから突出しないように第１および第２のボード１、２の下辺ＢＣ、ｂｃに一致させている。
また、図４（ａ）に示すように、正面視、上部水平部材４の左側垂直部を第１および第２のボードの１、２の左辺ＡＢ、ａｂから突出しないように第１および第２のボード１、２の左辺ＡＢ、ａｂに一致させさせている。
また、図４（ａ）に示すように、正面視、上部水平部材４の右側垂直部を第１および第２のボード１、２の右辺ＣＤ、ｃｄから突出しないように第１および第２のボード１、２の右辺ＣＤ、ｃｄに一致させている。
また、図４（ａ）に示すように、正面視、下部水平部材５の左側垂直部を第１および第２のボード１、２の左辺ＡＢ、ａｂから突出しないように第１および第２のボード１、２の左辺ＡＢ、ａｂに一致させている。
また、図４（ａ）に示すように、正面視、下部水平部材５の右側垂直部を第１および第２のボード１、２の右辺ＣＤ、ｃｄから突出しないように第１および第２のボード１、２の右辺ＣＤ、ｃｄに一致させている。
【００２２】
また、図４（ａ）に示すように、第１および第２のボード１、２の四隅は、正面視、左上角部Ａ、ａ、左下角部Ｂ、ｂ、右上角部Ｄ、ｄ、右下角部Ｃ、ｃである。そして、  第１のボード１の左上角部Ａは上部水平部材４の表の左上角部に、第１のボード１の右上角部Ｄは上部水平部材４の表の右上角部に、第２のボード２の左上角部ａは上部水平部材４の裏の左上角部に、第２のボード２の右上角部ｄは上部水平部材４の裏の右上角部に、第１のボード１の左下角部Ｂは下部水平部材４の表の左下角部に、第１のボード１の右下角部Ｃは下部水平部材５の表の右下角部に、第２のボード２の左下角部ｂは下部水平部材５の裏の左下角部に、第２のボード２の右下角部ｃは下部水平部材５の裏の右下角部に、それぞれ一致している。
そして、第１のボード１と第２のボード２とが、上部水平部材４、複数の縦桟３、３、３及び下部水平部材５を介して、例えば、接着剤、釘、ビス等で、接合されている。
【００２３】
従って、上述した間仕切壁Ｍによれば、第１のボード１の左上角部Ａは上部水平部材４の表の左上角部に、第１のボード４の右上角部Ｄは上部水平部材４の表の右上角部に、第２のボード２の左上角部ａは上部水平部材４の裏の左上角部に、第２のボード４の右上角部ｄは上部水平部材４の裏表の右上角部に、第１のボード１の左下角部Ｂは下部水平部材５の表の左下角部に、第１のボード１の右下角部Ｃは下部水平部材５の表の右下角部に、第２のボード２の左下角部ｂは下部水平部材５の裏の左下角部に、第２のボード２の右下角部ｃは下部水平部材５の裏の右下角部に、それぞれ一致し、しかも、第１のボード１と第２のボード２とが、上部水平部材４、複数の縦桟３、３、３及び下部水平部材５を介して、例えば、接着剤等で、接合されているため、搬送途中において、矩形状の第１のボード１及び第２のボード２の四隅部Ａ、Ｂ、Ｃ、Ｄ、ａ、ｂ、ｃ、ｄが支持され、従来に比べ第１のボード１及び第２のボード２の変形を防ぐことができる。
特に、第１のボード１及び第２のボード２がケイカル板(珪酸カルシウム板) 、石膏製の部材等で形成されている場合、第１のボード１及び第２のボード２の四隅部Ａ、Ｂ、Ｃ、Ｄ、ａ、ｂ、ｃ、ｄが支持され、第１のボード１及び第２のボード２の変形を防ぐことができる。
【００２４】
次に、上述した間仕切壁Ｍの施工方法について、図５〜図６を参照して説明する。まず、図５に示すように、第１または／および第２のボード１、２の外側面から床板Ｆおよび天井板Ｐのそれぞれに止着部材Ｓを斜め方向（例えば、鉛直方向に対して４５°傾けた方向）から打ち込むもので、止着部材Ｓには、例えば、釘やビスなどが用いられる。
【００２５】
また、間仕切壁Ｍを複数連結して用いる場合にあっては、上述した凸部Ｔと凹部Ｕが形成された間仕切壁Ｍを用いるのが好ましく、例えば、図６（ａ）に示すように、壁Ｗに取り付けられた木材等の垂直部材Ｖに間仕切壁Ｍの凹部Ｕを嵌め込んだ後、図６（ｂ）（ｃ）に示すように、凹部Ｕと反対側に形成された凸部Ｔに他の間仕切壁Ｍの凹部Ｕを嵌合させる。そして、必要に応じてこの操作を繰り返し行うもので、所望寸法の間仕切りを行うことができる。そして、間仕切壁Ｍの長さで調整できない場合、調整部材１０を使用して、間仕切り寸法に対応することができる［図６(ｃ)(ｄ)］。
【００２６】
また、場合により、図７及び図８に示すように、施工時、間仕切壁Ｍの第１のボード１を取り外し、隣接する縦桟３、３の間の空間１００に図示しない電気配線等を収納するようにしても良い。
【符号の説明】
【００２７】
Ｍ        間仕切壁
１        第１のボード
２        第２のボード
３        縦桟
４        上部水平部材
５        下部水平部材
【図１】
2016079636.tif 000003
【図２】
2016079636.tif 000004
【図３】
2016079636.tif 000005
【図４】
2016079636.tif 000006
【図５】
2016079636.tif 000007
【図６】
2016079636.tif 000008
【図７】
2016079636.tif 000009
【図８】
2016079636.tif 000010